(57)【特許請求の範囲】
【請求項１】
通信回線を介して発信元情報を受信可能な受信手段と、
前記発信元情報を記憶する発信元記憶手段と、
通話相手の発信元情報を表示する表示手段と、
通話状態において通信回線を介して第三者からの入力情報を受信可能なキャッチホン（登録商標）機能と、を備えた通信端末装置において、
前記表示手段に、通話中に前記受信手段によって前記第三者の発信元情報を受信した場合には、通話相手及びこの第三者の発信元情報を該表示手段に表示するとともに、通話相手が切り替えられる場合には、切り替え後の通話相手の前記発信元情報のみを表示することを特徴とする通信端末装置。
【請求項２】
通信回線を介して発信元情報を受信可能な受信手段と、
前記発信元情報を記憶する発信元記憶手段と、
通話相手の発信元情報を表示する表示手段と、
通話状態において通信回線を介して第三者からの入力情報を受信可能なキャッチホン（登録商標）機能と、を備えた通信端末装置において、
前記表示手段に、通話中に前記受信手段によって前記第三者の発信元情報を受信した場合には、通話相手及びこの第三者の発信元情報及び対応する関連情報を該表示手段に表示するとともに、通話相手が切り替えられる場合には、切り替え後の通話相手の前記発信元情報及び対応する関連情報のみを表示することを特徴とする通信端末装置。
【請求項３】
通話相手の切り替えは、キャッチキー及び回線の開放を入力する開放入力手段により切り替えることができるとともに、前記キャッチキーによる通話相手の切り替えの場合には、再度、先の通話相手に切り替えることができ、前記開放入力手段による切り替えの場合には、通話相手との通話を終了させることを特徴とする請求項１又は請求項２に記載の通信端末装置。
【請求項４】
前記発信元情報は、電話番号であることを特徴とする請求項１乃至請求項３のいずれかに記載の通信端末装置。
【請求項５】
前記関連情報は、発信者名を含むことを特徴とする請求項２乃至請求項４のいずれかに記載の通信端末装置。
【発明の詳細な説明】
【０００１】
【発明の属する技術分野】
本発明は、キャッチホン（登録商標）機能と発信元情報を受信可能な受信手段とを備えた通信端末装置に関し、特に、キャッチホン（登録商標）機能を利用して、再度、先の通話者と通話を開始しても通話相手の発信元情報や対応する関連情報が表示手段に表示されるため、通話相手を正確に知ることが可能となると共に、通話中に第三者から着信があった場合には、この第三者の発信元情報や対応する関連情報が、通話相手の発信元情報や対応する関連情報と共に表示手段に表示されるため、この第三者からの着信に適切に対応することが可能な通信端末装置に関するものである。
【０００２】
【従来の技術】
従来より、電話機等の通信端末装置においては、キャッチホン（登録商標）機能と発信元情報を受信可能な受信手段とを備えた通信端末装置が知られている。かかる通信端末装置では、通話相手の発信元情報や対応する関連情報が表示手段に表示されているが、キャッチホン（登録商標）機能を利用して、第三者からの通話に切り替えた場合には、この第三者の発信元情報や対応する関連情報が表示手段に表示される。これにより、着信側では、表示手段に表示されている第三者の発信元情報や対応する関連情報から、この第三者を正確に知ることが可能となると共に、第三者との通話内容等に適切な対応をとることが可能となる。
【０００３】
【発明が解決しようとする課題】
しかしながら、前記従来の通信端末装置においては、キャッチホン（登録商標）機能を利用して、第三者から先の通話者に通話を切り替えても、表示手段にはこの第三者の発信元情報や対応する関連情報が表示され続けられるため、先の通話相手を正確に知ることが困難であるという問題がある。また、第三者からの着信があった場合には、第三者からの通話に切り替えなければ第三者の発信元情報や対応する関連情報が表示手段に表示されず、通話を切り替える前にこの第三者を知ることができないという問題がある。
【０００４】
そこで、本発明は、上述した問題点を解決するためになされたものであり、キャッチホン（登録商標）機能を利用して、再度、先の通話者と通話を再開しても通話相手の発信元情報や対応する関連情報が表示手段に表示されるため、先の通話相手を正確に知ることが可能となり、また、通話中に第三者から着信があった場合には、この第三者の発信元情報や対応する関連情報が、通話中の相手の発信元情報や対応する関連情報と共に表示手段に表示されるため、この第三者からの着信に適切に対応することが可能な通信端末装置を提供することを目的とする。
【０００５】
【課題を解決するための手段】
前記目的を達成するため請求項１に係る通信端末装置は、通信回線を介して発信元情報を受信可能な受信手段と、前記発信元情報を記憶する発信元記憶手段と、通話相手の発信元情報を表示する表示手段と、通話状態において通信回線を介して第三者からの入力情報を受信可能なキャッチホン（登録商標）機能と、を備えた通信端末装置において、前記表示手段に、通話中に前記受信手段によって前記第三者の発信元情報を受信した場合には、通話相手及びこの第三者の発信元情報を該表示手段に表示するとともに、通話相手が切り替えられる場合には、切り替え後の通話相手の前記発信元情報のみを表示することを特徴とする。
【０００６】
このような特徴を有する請求項１に係る通信端末装置によれば、通話状態において通信回線を介して第三者からの入力情報を受信可能なキャッチホン（登録商標）機能を備えており、通話中に受信手段によって第三者の発信元情報を受信した場合には、通話相手及びこの第三者の発信元情報が表示手段によって表示されるとともに、通話相手が切り替えられる場合には、切り替え後の通話相手の発信元情報のみが表示される。
これにより、通話中に第三者から着信があった場合には、この第三者の発信元情報が、通話相手の発信元情報とともに表示手段によって表示されるため、この第三者との通話開始前に、通話相手と第三者とを正確に知ることが可能となり、第三者からの着信に適切に対応することが可能となる。また、通話相手が切り替えられる場合には、切り替え後の通話相手の発信元情報のみが表示されるため、通話相手を容易に知ることが可能となると共に、より適切な対応をとることが可能となる。
【０００７】
また、請求項２に係る通信端末装置は、通信回線を介して発信元情報を受信可能な受信手段と、前記発信元情報を記憶する発信元記憶手段と、通話相手の発信元情報を表示する表示手段と、通話状態において通信回線を介して第三者からの入力情報を受信可能なキャッチホン（登録商標）機能と、を備えた通信端末装置において、前記表示手段に、通話中に前記受信手段によって前記第三者の発信元情報を受信した場合には、通話相手及びこの第三者の発信元情報及び対応する関連情報を該表示手段に表示するとともに、通話相手が切り替えられる場合には、切り替え後の通話相手の前記発信元情報及び対応する関連情報のみを表示することを特徴とする。
【０００８】
このような特徴を有する請求項２に係る通信端末装置によれば、通話状態において通信回線を介して第三者からの入力情報を受信可能なキャッチホン（登録商標）機能を備えており、通話中に受信手段によって第三者の発信元情報を受信した場合には、通話相手及びこの第三者の発信元情報及び対応する関連情報が表示手段によって表示されるとともに、通話相手が切り替えられる場合には、切り替え後の通話相手の発信元情報及び対応する関連情報のみが表示される。
これにより、通話中に第三者から着信があった場合には、この第三者の発信元情報及び対応する関連情報が、通話相手の発信元情報及び対応する関連情報とともに表示手段によって表示されるため、この第三者との通話開始前に、通話相手と第三者とを正確に知ることが可能となり、第三者からの着信に適切に対応することが可能となる。また、通話相手が切り替えられる場合には、切り替え後の通話相手の発信元情報及び対応する関連情報のみが表示されるため、通話相手を正確に知ることが可能となると共に、より適切な対応をとることが可能となる。
【０００９】
また、請求項３に係る通信端末装置は、請求項１又は請求項２に記載の通信端末装置において、通話相手の切り替えは、キャッチキー及び回線の開放を入力する開放入力手段により切り替えることができるとともに、前記キャッチキーによる通話相手の切り替えの場合には、再度、先の通話相手に切り替えることができ、前記開放入力手段による切り替えの場合には、通話相手との通話を終了させることを特徴とする。
【００１０】
このような特徴を有する請求項３に係る通信端末装置によれば、請求項１又は請求項２に記載の通信端末装置において、キャッチキーによる通話相手の切り替えの場合、即ちキャッチホン（登録商標）機能を利用して、再度、先の通話者と通話を再開しても通話相手の発信元情報や対応する関連情報が表示手段に表示されるため、先の通話相手を正確に知ることが可能となる。また、電話の用件が終了した場合には、開放入力手段による切り替えによって、通話相手との通話を終了させることができる。
【００１１】
また、請求項４に係る通信端末装置は、請求項１乃至請求項３のいずれかに記載の通信端末装置において、前記発信元情報は、電話番号であることを特徴とする。
【００１２】
このような特徴を有する請求項４に係る通信端末装置によれば、請求項１乃至請求項３のいずれかに記載の通信端末装置において、前記発信元情報は、電話番号であるため、前記表示手段には通話相手の電話番号やこの電話番号に対応する関連情報が表示される。これにより、着信側は、表示された電話番号等から通話相手を正確に知ることが可能となると共に、適切な対応をとることが可能となる。
【００１３】
更に、請求項５に係る通信端末装置は、請求項２乃至請求項４のいずれかに記載の通信端末装置において、前記関連情報は、発信者名を含むことを特徴とする。
【００１４】
このような特徴を有する請求項５に係る通信端末装置によれば、請求項２乃至請求項４のいずれかに記載の通信端末装置において、前記関連情報には、発信者名が含まれるため、表示手段には通話相手の名前等が表示される。これにより、着信側は、表示された名前等から通話相手を容易に知ることが可能となると共に、より適切な対応をとることが可能となる。
【００１５】
【発明の実施の形態】
以下、本発明に係る通信端末装置について、本発明をパーソナルコンピュータ（以下、「ＰＣ」という。）と、このＰＣに接続される留守番録音機能付きの電話機とから構成される通信端末装置につき具体化した実施形態に基づいて図面を参照しつつ詳細に説明する。先ず、本実施形態に係るＰＣ及びこのＰＣに接続される留守番録音機能付きの電話機の概略構成について図１に基づき説明する。図１は本実施形態に係るＰＣ及びこのＰＣに接続される留守番録音機能付きの電話機の概略構成を示すブロック図である。
【００１６】
図１に示すように、電話回線２０に接続される電話機１の概略構成は、発信元電話番号付加判別手段２、着信信号検出手段３、ラインリレー４、発信元電話番号判別手段５、終話検出手段６、通話回路７、応答メッセージ送出手段８、伝言メッセージ録音手段９、アンプ１０、スピーカ１１、ＣＰＵ１２、ＲＯＭ１３、ＥＥＰＲＯＭ１４、ＲＡＭ１５、ダイヤル発信手段１６、ＰＣ用インターフェース１７、操作パネル１９、タイマ２２、呼び出し手段２３、及びフックスイッチ２４等を備え、ＰＣ１８に接続されている。
電話回線２０には、加入者線交換機からアナログ回線等に送出される発信元情報としての発信元電話番号データ等を受信する機能を有する発信元電話番号受信端末を起動するために、交換機から送られる発信元電話番号受信端末起動信号を受信する発信元電話番号付加判別手段２が、回線閉結用のラインリレー４を介さずに直接接続されている。同様に、電話回線２０には、着信信号を検出する着信信号検出手段３が、回線閉結用のラインリレー４を介さずに直接接続されている。さらに、電話回線２０には、ラインリレー４を介して、発信元電話番号データ等を含む通話情報を受信し、発信元電話番号データを検出する発信元電話番号判別手段５、発信者の終話を検出する終話検出手段６、及び電話回線２０との通話を行う通話回路７が接続されている。
【００１７】
一方、電話機１の全体を制御するＣＰＵ１２が設けられ、発信元電話番号付加判別手段２、着信信号検出手段３、ラインリレー４、発信元電話番号判別手段５、及び終話検出手段６はＣＰＵ１２に接続されている。また、通話回路７には、応答メッセージを送出する応答メッセージ送出手段８と、発信者の伝言メッセージを記録し再生する伝言メッセージ録音手段９とが接続され、この応答メッセージ送出手段８と伝言メッセージ録音手段９とは、ＣＰＵ１２にも接続されている。そして、伝言メッセージ録音手段９には、アンプ１０を介して伝言メッセージを発声するスピーカ１１が接続されている。
【００１８】
また、ＣＰＵ１２には、電話機機能等を実行するのに必要な各種プログラムやデータ等を記憶しているＲＯＭ１３、各種の登録データやフラッグ等を記憶しているＥＥＰＲＯＭ１４、及び各種ディジタルデータを一時記憶するＲＡＭ１５が接続されている。また、ＥＥＰＲＯＭ１４には、「電話番号」とそれに対応する「名前」及び「会社名」より構成される後述の電話番号データテーブル２５（図２参照）が記憶される電話番号データテーブル記憶エリア１４Ａや、応答メッセージが記憶される応答メッセージ記憶エリア１４Ｂ等が設けられている。また、ＲＡＭ１５には、「受信日時」とそれに対応する「電話番号」より構成される後述の受信ＩＤテーブル２６が記憶される受信ＩＤテーブル記憶エリア１５Ａ等が設けられている。
【００１９】
また、ＣＰＵ１２には、通話回路７に接続され、テンキー等で構成されるダイヤル発信手段１６、ＰＣ１８との情報の入出力用インターフェースとしてのＰＣ用インターフェース１７、ＬＣＤ（Liquid Crystal Display）等のディスプレイ１９Ａやキャッチホン（登録商標）を受けるためのキャッチキー２１等の各種操作を行うための種々のキーが配置されている操作パネル１９、年月日や時間の計測を行うと共に一定時間を計測して、日時データやタイムアウト信号を出力するタイマ２２、呼び出し音により着信を知らせる呼び出し手段２３、及び不図示の受話器等による押下により回線開放指示信号を送出するフックスイッチ２４等が接続されている。
【００２０】
さらに、ＰＣ用インターフェース１７には、ＣＲＴ（Cathode Ray Tube）やＬＣＤ（Liquid Crystal Display）等のディスプレイ１８Ａが設けられたＰＣ１８が接続されている。
【００２１】
ここで、ＥＥＰＲＯＭ１４の電話番号データ記憶エリア１４Ａに記憶されている電話番号データテーブル２５について図２に基づいて説明する。図２は本実施形態に係る電話機１のＥＥＰＲＯＭ１４の電話番号データ記憶エリア１４Ａに記憶される電話番号データテーブル２５の一例を示す図である。
図２に示されるように、電話番号データテーブル２５は、「電話番号」、この「電話番号」に対応する「名前」、及びこの「電話番号」に対応する「会社名」から構成されている。
よって、「電話番号」が「０１２３４５６７８９」の場合には、この「電話番号」に対応する「名前」は「ＹＹ」、「会社名」は「○○○○ガイシャ」である。また、「電話番号」が「０１２３４５１２３４」の場合には、この「電話番号」に対応する「名前」は「ＷＷ」、「会社名」は「△△△△ガイシャ」である。さらに、「電話番号」が「０１２３４５２３４５」の場合には、この「電話番号」に対応する「名前」は「ＶＶ」、「会社名」は「××××ガイシャ」である。  本実施形態の電話番号データテーブル２５の「電話番号」に対応する「名前」は、この「電話番号」の発信者の名前を表すデータであり、「電話番号」に対応する「会社名」は、この「電話番号」の発信者の属する会社名を表すデータである。尚、図２には、電話番号データテーブル記憶エリア１４Ａに予め登録されたデータ例として３件の例が示されているが、最大登録件数は記憶容量が許す限り任意である。
【００２２】
また、ＲＡＭ１５の受信ＩＤテーブル記憶エリア１５Ａに記憶されている受信ＩＤテーブル２６について図３に基づいて説明する。図３は本実施形態に係る電話機１のＲＡＭ１５の受信ＩＤテーブル記憶エリア１５Ａに記憶される受信ＩＤテーブル２６の一例を示す図である。
図３に示すように、受信ＩＤテーブル２６は、「受信日時」、及びこの「受信日時」に対応する「電話番号」から構成されている。そして、この「受信日時」は、ＣＰＵ１２が、発信元電話番号付加判別手段２から発信元電話番号付加検出信号を受信した時の受信年月日及びその時の時間より構成されるデータである。また、この「電話番号」は、前記発信元電話番号判別手段５によって検出される発信元電話番号データである。
よって、「受信日時」が「９８／６／１６  ０８：０５」のデータに対応する「電話番号」は「０１２３４５６７８９」である。即ち、「１９９８年６月１６日、８時５分」に「電話番号」が「０１２３４５６７８９」の発信元電話番号データが受信されたことを表している。また、「受信日時」が「９８／６／１６  １３：１３」のデータに対応する「電話番号」は「０１２３４５１２３４」である。即ち、「１９９８年６月１６日、１３時１３分」に「電話番号」が「０１２３４５１２３４」の発信元電話番号データが受信されたことを表している。さらに、「受信日時」が「９８／６／１６  １３：１５」のデータに対応する「電話番号」は「０１２３４５２３４５」である。即ち、「１９９８年６月１６日、１３時１５分」に「電話番号」が「０１２３４５２３４５」の発信元電話番号データが受信されたことを表している。尚、図３には、受信ＩＤテーブル記憶エリア１５Ａに記憶されたデータ例として３件の例が示されているが、最大記憶件数は記憶容量が許す限り任意である。
【００２３】
ここで、発信元電話番号付加判別手段２及び発信元電話番号判別手段５により受信手段が構成される。また、ＥＥＰＲＯＭ１４の電話番号データテーブル記憶エリア１４Ａは、発信元情報記憶手段として機能する。また、ＲＡＭ１５の受信ＩＤテーブル記憶エリア１５Ａは、発信元記憶手段として機能する。また、ＰＣ１８に設けられるディスプレイ１８Ａ、及び操作パネル１９に設けられるディスプレイ１９Ａは、表示手段として機能する。また、フックスイッチ２４は、開放入力手段として機能する。また、ＣＰＵ１２、ＲＯＭ１３、ＥＥＰＲＯＭ１４、及びＲＡＭ１５により制御手段が構成される。
【００２４】
次に、このように構成されたＰＣ１８及び電話機１より構成される通信端末装置における発信元電話番号等の表示処理について図４に基づいて説明する。図４は本実施形態に係るＰＣ１８及びこのＰＣ１８に接続される留守番録音機能付きの電話機１における発信元電話番号等の表示処理のフローチャートである。
先ず、図４に示されるように、ステップ（以下、Ｓと略記する）１において、着信信号検出手段３により電話回線２０を介して発呼者から呼出信号が着信したか否かが判定される。そして、着信していない場合には（Ｓ１：ＮＯ）、着信するまで待機し、着信があった場合には（Ｓ１：ＹＥＳ）、着信信号検出手段３からＣＰＵ１２に着信検出信号が出力される。
【００２５】
次に、ＣＰＵ１２は、Ｓ１で着信検出信号の入力を検知すると、Ｓ２において、その着信が発信元電話番号が付加されたものかどうかを発信元電話番号付加判別手段２により判別する。
ここで、発信元電話番号が付加されている場合には、加入者線交換機からの着信信号が、発信元の電話番号の無い信号と異なるため、電話機１の発信元電話番号付加判別手段２により着信信号の違いを判別し、発信元の電話番号が付加されたものであるかそうでないかを判別可能となっている。
【００２６】
そして、今回の着信が発信元の電話番号が付加されたものであると発信元電話番号付加判別手段２により判定された場合には、発信元電話番号付加判別手段２からＣＰＵ１２に発信元電話番号付加検出信号が出力される。
【００２７】
続いて、ＣＰＵ１２は、発信元電話番号付加検出信号の入力を検知すると、タイマー２２からその時の受信年月日及び時刻のデータを読み込み、受信ＩＤテーブル記憶エリア１５Ａに記憶されている受信ＩＤテーブル２６の「受信日時」データとして記憶する。そして、ラインリレー４をオンして、電話回線２０を閉結し、発信元電話番号判別手段５を起動する。発信元電話番号判別手段５は、入力情報から発信元電話番号を判別し、ＣＰＵ１２へ出力する。ＣＰＵ１２は、入力されたこの発信元電話番号を受信ＩＤテーブル記憶エリア１５Ａの受信ＩＤテーブル２６に、前記「受信日時」データに対応する「電話番号」データとして記憶し、ラインリレー４をオフして、一旦回線を開放する。例えば、「受信日時」のデータとして「１９９８／６／１６  １３：１３」、そして、これに対応する「電話番号」のデータとして「０１２３４５１２３４」が受信ＩＤテーブル２６に記憶される。
次に、ＣＰＵ１２は、再度、受信ＩＤテーブル２６から最新に記憶した「電話番号」データを読み出し、この「電話番号」データと一致する電話番号が、電話番号データ記憶エリア１４Ａに予め記憶されている電話番号データテーブル２５（図２参照）の「電話番号」のデータに登録されているか否かを判別する。
【００２８】
そして、前記発信元電話番号と一致する電話番号が、電話番号データテーブル２５の「電話番号」のデータに登録されている場合には、この「電話番号」のデータに対応する電話番号データテーブル２５の「名前」及び「会社名」のデータを読み込み、ＲＡＭ１５に記憶する。続いて、ＣＰＵ１２は、受信ＩＤテーブル２６から最新に記憶した「受信日時」データ及び「電話番号」データを読み出すと共に、前記「名前」、「会社名」をＲＡＭ１５から読み出し、ＰＣ用インターフェース１７を介してＰＣ１８に出力すると共に、同時に呼び出し手段２１に呼び出し開始を指示する。そして、ＰＣ１８は、入力されたこの「受信日時」データ、「電話番号」データ、「名前」、及び「会社名」をディスプレイ１８Ａに表示する。例えば、「１９９８年６月１６日  １３時１３分受け、ＴＥＬ．０１２３４５１２３４、ＷＷさん、△△△△会社」とディスプレイ１８Ａに表示される。
また、前記発信元電話番号と一致する電話番号が、電話番号データテーブル２５の「電話番号」のデータに登録されていない場合には、ＣＰＵ１２は、受信ＩＤテーブル２６から最新に記憶した「受信日時」データ及び「電話番号」データを読み出し、ＰＣ用インターフェース１７を介してＰＣ１８に出力すると共に、同時に呼び出し手段２１に呼び出し開始を指示する。そして、ＰＣ１８は、入力されたこの「受信日時」データ及び「電話番号」データをディスプレイ１８Ａに表示する。例えば、「１９９８年６月１６日  １３時１３分受け、ＴＥＬ．０１２３４５１２３４」とディスプレイ１８Ａに表示される。
【００２９】
そして、ＣＰＵ１２は、受話器が持ち上げられてフックスイッチ２４を介して通話開始信号が入力されると、呼び出し手段２１に呼び出し停止を指示すると共に、ラインリレー４をオンして、電話回線２０を閉結する。これにより通話回路７を介して通話が開始される。
【００３０】
次に、Ｓ３において、ＣＰＵ１２は、第三者から着信があるか否か、即ち、第三者からの着信の検出信号が、着信信号検出手段３から入力されているか否か判定する。
そして、第三者からの着信の検出信号が入力されていない場合には（Ｓ３：ＮＯ）、通話が終了したかどうか、即ち、終話検出手段６から終話の検出信号が入力されているか否か判定される（Ｓ４）。そして、終話検出手段６から終話の検出信号が入力されていない場合には（Ｓ４：ＮＯ）、再度、Ｓ３以降の処理が実行される。また、終話検出手段６から終話の検出信号が入力された場合には（Ｓ４：ＹＥＳ）、ＰＣ用インターフェース１７を介してＰＣ１８に終話情報を出力して、ラインリレー４をオフして電話回線２０を開放し、通話を終了する。また、ＰＣ１８は、終話情報を入力されると、ディスプレイ１８Ａの「受信日時」データや「電話番号」データ等の表示を削除し、内蔵されるタイマーに基づいて時計表示を行い、処理を終了する（Ｓ１５）。
【００３１】
また、第三者からの着信検出信号が、着信信号検出手段３から入力された場合には（Ｓ３：ＹＥＳ）、Ｓ５において、第三者からの着信が発信元電話番号が付加されたものかどうかを発信元電話番号付加判別手段２により判別する。
そして、第三者からの着信が発信元の電話番号が付加されたものであると発信元電話番号付加判別手段２により判定された場合には、発信元電話番号付加判別手段２からＣＰＵ１２に発信元電話番号付加検出信号が入力される。
続いて、ＣＰＵ１２は、発信元電話番号付加検出信号の入力を検知すると、タイマー２２からその時の受信年月日及び時刻のデータを読み込み、受信ＩＤテーブル記憶エリア１５Ａに記憶されている受信ＩＤテーブル２６の「受信日時」データとして記憶する。そして、発信元電話番号判別手段５を起動する。発信元電話番号判別手段５は、入力情報から発信元電話番号を判別し、ＣＰＵ１２へ出力する。ＣＰＵ１２は、入力されたこの発信元電話番号を受信ＩＤテーブル記憶エリア１５Ａの受信ＩＤテーブル２６に、前記「受信日時」データに対応する「電話番号」データとして記憶する。例えば、「受信日時」のデータとして「１９９８／６／１６  １３：１５」、そして、これに対応する「電話番号」のデータとして「０１２３４５２３４５」が受信ＩＤテーブル２６に記憶される。
次に、ＣＰＵ１２は、再度、受信ＩＤテーブル２６から最新に記憶した「電話番号」データを読み出し、この「電話番号」データと一致する電話番号が、電話番号データ記憶エリア１４Ａに予め記憶されている電話番号データテーブル２５（図２参照）の「電話番号」のデータに登録されているか否かを判別する。
【００３２】
そして、前記発信元電話番号と一致する電話番号が、電話番号データテーブル２５の「電話番号」のデータに登録されている場合には、この「電話番号」のデータに対応する電話番号データテーブル２５の「名前」及び「会社名」のデータを読み込み、ＲＡＭ１５に記憶する。続いて、ＣＰＵ１２は、受信ＩＤテーブル２６から最新に記憶した「受信日時」データ及び「電話番号」データを読み出すと共に、前記「名前」、「会社名」をＲＡＭ１５から読み出し、ＰＣ用インターフェース１７を介してＰＣ１８に出力すると共に、同時に第三者からの着信を受話器を介して着信音等により通知する。そして、ＰＣ１８は、入力されたこの「受信日時」データ、「電話番号」データ、「名前」、及び「会社名」をディスプレイ１８Ａに表示する。例えば、ディスプレイ１８Ａの上側に「１９９８年６月１６日  １３時１３分から話し中、ＴＥＬ．０１２３４５１２３４、ＷＷさん、△△△△会社」と表示し、ディスプレイ１８Ａの下側に「１９９８年６月１６日  １３時１５分受け、ＴＥＬ．０１２３４５２３４５、ＶＶさん、××××会社」と表示される。
また、前記発信元電話番号と一致する電話番号が、電話番号データテーブル２５の「電話番号」のデータに登録されていない場合には、ＣＰＵ１２は、受信ＩＤテーブル２６から最新に記憶した「受信日時」データ及び「電話番号」データを読み出し、ＰＣ用インターフェース１７を介してＰＣ１８に出力すると共に、同時に第三者からの着信を受話器を介して着信音等により通知する。そして、ＰＣ１８は、入力されたこの「受信日時」データ及び「電話番号」データをディスプレイ１８Ａに表示する。例えば、ディスプレイ１８Ａの上側に「１９９８年６月１６日  １３時１３分から話し中、ＴＥＬ．０１２３４５１２３４、ＷＷさん、△△△△会社」と表示し、ディスプレイ１８Ａの下側に「１９９８年６月１６日  １３時１５分受け、ＴＥＬ．０１２３４５２３４５」と表示される。
【００３３】
次に、Ｓ６において、ＣＰＵ１２は、キャッチキー２１が押下されたか否か、即ち、キャッチ信号が入力されたか否か判定する。そして、キャッチキー２１が押下されていない場合は（Ｓ６：ＮＯ）、通話が終了したかどうか、即ち、終話検出手段６から終話の検出信号が入力されているか否か判定される（Ｓ７）。そして、終話検出手段６から終話の検出信号が入力されていない場合には（Ｓ７：ＮＯ）、再度、Ｓ６以降の処理が実行される。また、終話検出手段６から終話の検出信号が入力された場合には（Ｓ７：ＹＥＳ）、ＰＣ用インターフェース１７を介してＰＣ１８に終話情報を出力して、ラインリレー４をオフして電話回線２０を開放し、通話を終了する。また、ＰＣ１８は、終話情報を入力されると、ディスプレイ１８Ａの「受信日時」データや「電話番号」データ等の表示を削除し、内蔵されるタイマーに基づいて時計表示を行い、処理を終了する（Ｓ１５）。
【００３４】
また、ＣＰＵ１２は、キャッチ信号を入力された場合には（Ｓ６：ＹＥＳ）、Ｓ８において、通話回路７を介して、先の通話者（例えば、△△△△会社のＷＷさん）との通話を保留して、第三者（例えば、××××会社のＶＶさん）との回線を接続する。
【００３５】
また、Ｓ９において、ＰＣ用インタフェース１７を介してＰＣ１８に第三者との通話開始情報を出力する。そして、ＰＣ１８は、この第三者との通話開始情報を入力されると、第三者のみの「受信日時」データや「電話番号」データ等をディスプレイ１８Ａに表示する。例えば、ディスプレイ１８Ａに「１９９８年６月１６日  １３時１５分受け、ＴＥＬ．０１２３４５２３４５、ＶＶさん、××××会社」だけが表示される。
【００３６】
次に、Ｓ１０において、ＣＰＵ１２は、第三者との通話中にフックスイッチ２４が所定の第１の時間であるＴ１時間（本実施形態では、Ｔ１時間＝２．２秒）よりも長い時間押下されているか否か判定する。そして、フックスイッチ２４がＴ１時間よりも長い時間押下された場合には（Ｓ１０：ＹＥＳ）、ＰＣ用インターフェース１７を介してＰＣ１８に終話情報を出力して、ラインリレー４をオフして電話回線２０を開放し、通話を終了する。また、ＰＣ１８は、終話情報を入力されると、ディスプレイ１８Ａの「受信日時」データや「電話番号」データ等の表示を削除し、内蔵されるタイマーに基づいて時計表示を行い、処理を終了する（Ｓ１５）。
【００３７】
また、フックスイッチ２４がＴ１時間よりも長い時間押下されていない場合には（Ｓ１０：ＮＯ）、Ｓ１１において、ＣＰＵ１２は、第三者との通話中にフックスイッチ２４が所定の第２の時間であるＴ２時間（本実施形態では、Ｔ２時間＝０．３秒）よりも長い時間押下されているか否か判定する。そして、フックスイッチ２４がＴ２時間よりも長い時間押下されていない場合には（Ｓ１１：ＮＯ）、再度、Ｓ１０以降の処理が実行される。
【００３８】
また、フックスイッチ２４がＴ２時間よりも長い時間押下された場合には（Ｓ１１：ＹＥＳ）、Ｓ１２において、第三者との通話を終了し、即ち、通話回路７を介して第三者との回線を開放して、再度、先の通話者との回線を接続する。
【００３９】
そして、Ｓ１３において、ＣＰＵ１２は、ＰＣ用インターフェース１７を介してＰＣ１８に第三者との通話終了情報を出力すると共に、先の通話者の「受信日時」データや「電話番号」データ等をＲＡＭ１５より読み出してＰＣ１８に出力する。そして、第三者との通話終了情報と先の通話者の「受信日時」データ等を入力されたＰＣ１８は、第三者の「受信日時」データや「電話番号」データ等の表示を削除し、入力された先の通話者の「受信日時」データや「電話番号」データ等をディスプレイ１８Ａに表示する。例えば、「１９９８年６月１６日  １３時１３分受け、ＴＥＬ．０１２３４５１２３４、ＷＷさん、△△△△会社」とディスプレイ１８Ａに表示される。
【００４０】
次に、Ｓ１４において、ＣＰＵ１２は、フックスイッチ２４が前記Ｔ１時間よりも長い時間押下されているか否か、及び、終話検出手段６から終話の検出信号が入力されているか否か判定する。そして、フックスイッチ２４が前記Ｔ１時間よりも長い時間押下されるか、終話検出手段６から終話の検出信号が入力されるまで待ち（Ｓ１４：ＮＯ）、フックスイッチ２４が前記Ｔ１時間よりも長い時間押下されるか、終話検出手段６から終話の検出信号が入力された場合には（Ｓ１４：ＹＥＳ）、ＰＣ用インターフェース１７を介してＰＣ１８に終話情報を出力して、ラインリレー４をオフして電話回線２０を開放し、通話を終了する。また、ＰＣ１８は、終話情報を入力されると、ディスプレイ１８Ａの「受信日時」データや「電話番号」データ等の表示を削除し、内蔵されるタイマーに基づいて時計表示を行い、処理を終了する（Ｓ１５）。
【００４１】
以上詳細に説明した通り本実施形態に係る通信端末装置では、着信があると（Ｓ１：ＹＥＳ）、ＰＣ１８のディスプレイ１８Ａに着信日時、発信元電話番号、この発信元電話番号に対応する電話番号データテーブル２５の「名前」、及び「会社名」が表示される（Ｓ２）。そして、通話中に第三者からの着信があった場合には（Ｓ３：ＹＥＳ）、通話中の相手の着信日時や発信元電話番号等と共に、第三者の着信日時や発信元電話番号等も同時にディスプレイ１８Ａに表示される（Ｓ５）。そして、キャッチされた場合には（Ｓ６：ＹＥＳ）、第三者の着信日時や発信元電話番号等だけがディスプレイ１８Ａに表示される（Ｓ８）。そして、フックスイッチ２４がＴ１時間（本実施形態では、Ｔ１＝２．２秒）よりも長く押下された場合には（Ｓ１０：ＹＥＳ）、回線が開放されて通話が終了する。また、フックスイッチ２４がＴ１時間以下でＴ２時間（本実施形態では、Ｔ１＝０．３秒）よりも長く押下された場合には（Ｓ１０：ＮＯ、Ｓ１１：ＹＥＳ）、通話が第三者から先の通話者に切り替えられると共に（Ｓ１２）、先の通話者の着信日時や発信元電話番号等がディスプレイ１８Ａに表示される（Ｓ１３）。また、フックスイッチ２４がＴ２時間（本実施形態では、Ｔ１＝０．３秒）以下押下された場合には（Ｓ１０：ＮＯ、Ｓ１１：ＮＯ）、フックスイッチ２４の押下は、無視される。そして、通話が終了すると（Ｓ１４：ＹＥＳ）、回線は開放されて、ディスプレイ１８Ａに時計表示がされ、処理が終了する（Ｓ１５）。
【００４２】
したがって、通話中に第三者から着信があった場合には、この第三者の受信日時、発信元電話番号、及びこの発信元電話番号に対応する「名前」や「会社名」が、通話相手の受信日時、発信元電話番号、及びこの発信元電話番号に対応する「名前」や「会社名」と共にＰＣ１８のディスプレイ１８Ａに表示されるため、この第三者を通話開始前に正確に知ることが可能となり、第三者からの着信に適切に対応することが可能となる。
また、フックスイッチ２４を介して、回線開放の指示をＴ１時間以下で、且つＴ２時間よりも長い時間入力し、キャッチホン（登録商標）機能を利用して、再度、先の通話者と通話を再開しても、通話相手の受信日時、発信元電話番号、及びこの発信元電話番号に対応する「名前」や「会社名」がＰＣ１８のディスプレイ１８Ａに表示されるため、先の通話相手を正確に知ることが可能となる。
また、フックスイッチ２４を介して、回線開放の指示がＴ２時間以下の短時間入力された場合には、ＣＰＵ１２によってこの回線開放の指示はなっかたものとして制御されるため、前記フックスイッチ２４の押下による誤動作を防止することが可能となる。
さらに、ＰＣ１８のディスプレイ１８Ａには通話相手の電話番号や名前等が表示されるため、通話相手を容易に知ることが可能となると共に、より適切な対応をとることが可能となる。
【００４３】
尚、本発明は前記実施形態に限定されることはなく、本発明の要旨を逸脱しない範囲内で種々の改良、変形が可能であることは勿論である。
例えば、通話相手に関する情報を電話機１のディスプレイ１９Ａに表示させてもよい。この場合、表示領域のスペースに限界があることから、電話番号、名前、会社名をそれぞれ順番に表示を繰り返してもよい。
また、前記実施形態では、ＰＣ１８のディスプレイ１８Ａに、通話相手等の「受信日時」、「電話番号」、「名前」、及び「会社名」が表示されるが、更に、通話相手に関する「所属課名」、「役職名」、「住所」、「顔写真」、「趣味」、「生年月日」、「年齢」、「血液型」、及び「家族構成」等の情報を同時に表示するようにしてもよい。
【００４４】
【発明の効果】
以上説明した通り本発明は、キャッチホン（登録商標）機能を利用して、再度、先の通話者と通話を再開しても通話相手の発信元情報や対応する関連情報が表示手段に表示されるため、先の通話相手を正確に知ることが可能となり、また、通話中に第三者から着信があった場合には、この第三者の発信元情報や対応する関連情報が、通話中の相手の発信元情報や対応する関連情報と共に表示手段に表示されるため、この第三者からの着信に適切に対応することが可能な通信端末装置を提供することができる。
【図面の簡単な説明】
【図１】  本実施形態に係るＰＣ及びこのＰＣに接続される留守番録音機能付きの電話機の概略構成を示すブロック図である。
【図２】  本実施形態に係る電話機のＥＥＰＲＯＭの電話番号データ記憶エリアに記憶される電話番号データテーブルの一例を示す図である。
【図３】  本実施形態に係る電話機のＲＡＭの受信ＩＤテーブル記憶エリアに記憶される受信ＩＤテーブルの一例を示す図である。
【図４】  本実施形態に係るＰＣ及びこのＰＣに接続される留守番録音機能付きの電話機における発信元電話番号等の表示処理のフローチャートである。
【符号の説明】
１              電話機
２              発信元電話番号付加判別手段
３              着信信号検出手段
４              ラインリレー
５              発信元電話番号判別手段
６              終話検出手段
７              通話回路
１２            ＣＰＵ
１３            ＲＯＭ
１４            ＥＥＰＲＯＭ
１４Ａ          電話番号データテーブル記憶エリア
１５            ＲＡＭ
１５Ａ          受信ＩＤテーブル記憶エリア
１７            ＰＣ用インターフェース
１８            ＰＣ
１８Ａ、１９Ａ  ディスプレイ
１９            操作パネル
２０            電話回線
２１            キャッチキー
２４            フックスイッチ
【図１】
0003646523.tif 000002
【図２】
0003646523.tif 000003
【図３】
0003646523.tif 000004
【図４】
0003646523.tif 000005